【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
物体（８０）を受容するよう設計されるシート手段（５）が備わり、前記シート手段（５）は曲線軌道（Ｐ１）に沿って可動である運搬装置（１）、および前記物体（８０）を前記運搬装置（１）へ運搬かつ／また前記運搬装置（１）から除去するよう設計される移送手段（８）が備わる追加的運搬装置（６）から構成される装置において、前記移送手段（８）は前記シート手段（５）と前記移送手段（８）が前記曲線軌道（Ｐ１）の部分（Ｚ）に沿って相互に連結を維持されるように前記シート手段（５）を係合するよう設計される連結手段（３２、１６０、２６０、３６０、３２８）から構成されることを特徴とする装置。
【請求項２】
およびさらに、前記移送手段（８）と前記シート手段（５）を前記部分（Ｚ）に沿って相互に接続し、および前記移送手段（８）と前記シート手段（５）が前記部分（Ｚ）に沿って連結して進行した後、前記移送手段（８）と前記シート手段（５）を解放できるよう形成される、接続手段（２３２、４６０）から構成される、請求項１に記載の装置。
【請求項３】
前記接続手段（４６０）は第一アーム（３２４）および第二アーム（３２５）から構成される、請求項２に記載の装置。
【請求項４】
前記第一アーム（３２４）および前記第二アーム（３２５）は、可動の把持手段を、前記シート手段（５）が前記把持手段の入出が可能な開放配置と前記把持部が前記シート手段（５）を固定する閉鎖配置の間で定める、請求項３に記載の装置。
【請求項５】
前記第一アーム（３２４）および第二アーム（３２５）は前記接続手段（４６０）の本体に咬合される、請求項３に記載の装置。
【請求項６】
前記接続手段（４６０）は、前記第一アーム（３２４）と前記第二アーム（３２５）を相互に接続するよう設計される接続ロッド手段（３３３）から構成される、請求項３から５のいずれか一つに記載の装置。
【請求項７】
前記接続手段（４６０）は、前記シート手段（５）との相互作用を目的として、前記第一アーム（３２４）と前記第二アーム（３２５）の先端範囲を、互いに近接して相互に移動するよう設計されるスプリング手段から構成される、請求項３から６のいずれか一つに記載の装置。
【請求項８】
前記シート手段（５）は、前記接続手段（４６０）と相互作用することを目的とする回転手段（３２６）が外部に備わる、請求項２から７のいずれか一つに記載の装置。
【請求項９】
前記連結手段（３２、１６０、２６０、３６０）は、前記シート手段（５）の外表（３５）と相互作用するよう設計される隙間手段（１６１、２６１、３６１）を定め、前記外表は円筒形の外表（３５）であって、前記連結手段（３２、１６０、２６０、３６０）は、前記隙間手段がＶ字型部分を有するように互いに傾斜される第一壁手段および第二壁手段から構成され、前記連結手段（１６０、２６０、３６０）は、前記シート手段（５）に相互作用するよう設計される回転本体手段（１７１、１７２、１８１、１９４、１９５）から構成される、請求項１または２に記載の装置。
【請求項１０】
前記移送手段（８）は、前記追加的運搬装置（６）の可動要素（７、３０１）によって支持され、および前記物体を取り扱うよう設計され、前記移送手段（８）は、前記可動要素（７、３０１）に対して摺動可能である誘導手段（１０）から構成され、前記誘導手段（１０）は前記操作手段（２０）を支持し、前記連結手段（３２、１６０、２６０、３６０）は前記操作手段（２０）に関連する、
前記請求項のいずれか一つに記載の装置。
【請求項１１】
前記移送手段（８）はさらに、前記誘導手段（１０）に固定される支持本体手段（１５）および前記操作手段（２０）が固定される追加的支持本体手段（１６）から構成され、前記追加的支持本体手段（１６）は前記支持本体手段（１５）に回転可能に支持される、請求項１０に記載の装置。
【請求項１２】
前記移送手段は複数の移送要素（８）から構成され、前記物体はプラスチックの用量から構成され、前記運搬装置は、前記用量を圧縮成形するための圧縮成形装置（１）から構成され、前記シート手段（５）は前記圧縮成形装置（１）のモールド手段（３）の成形キャビティ手段（５）から構成され、前記圧縮成形装置（１）は、回転軸（Ａ）の周囲を回転可能で、かつ前記モールド手段（３）を支持する回転台から構成され、前記圧縮成形装置は前記モールド手段（３）を支持する弾性移動要素から構成され、前記モールド手段（３）は複数のモールド（３）から構成され、前記移送手段（８）は、押出手段からの前記用量を除去するよう設計される受容手段（２１）から構成され、前記受容手段（２１）は前記用量から得られる製品を前記圧縮成形装置（１）から除去できるよう形成され、前記移送手段（８）は、前記押出手段からの前記用量（８０）を除去するよう設計される受容手段（３２１）、および前記受容手段（３２１）から前記用量（８０）を受容し、かつ前記用量（８０）を前記圧縮成形装置（１）に運搬するよう設計される運搬手段（３０８）から構成され、前記受容手段（３２１）は前記運搬手段（３０８）によって支持され、かつ前記運搬手段（３０８）に対して可動である、前記請求項のいずれか一つに記載の装置。
【請求項１３】
およびさらに、前記移送手段（８）を前記可動手段（７）に向かって移動するよう設計される移動促進手段（６９、７０）から構成され、前記移動促進手段（６９、７０）はカム手段（７２）が備わる誘導本体手段（７１）から構成され、前記誘導本体手段（７１）は、前記カム手段（７２）が前記移送手段（８）によって回転可能に支持される回転手段（７４）に係合する操作位置と、前記カム手段（７２）が前記回転手段（７４）から離れた位置にある静止位置の間で可動である、請求項１０に記載の装置。
【請求項１４】
およびさらに、前記用量（８０）によって横断される前記移送手段（８）の開口（２８）を開放かつ／また閉鎖するため第二閉鎖手段（３０）と連携する第一閉鎖手段（２９）、および前記第一閉鎖手段（２９）および前記第二閉鎖手段（３０）を前記開口（２８）にほぼ平行になるよう配置される面上で互いに平行に維持して、前記第一閉鎖手段（２９）と前記第二閉鎖手段（３０）を移動するよう設計される駆動手段（５２）から構成され、前記駆動手段（５２）は、前記第一閉鎖手段（２９）に固定されかつラック手段（６３）から構成される細長要素手段（６１）、および前記第二閉鎖手段（３０）に固定されかつ追加的ラック手段（６６）から構成される追加的細長要素手段（６４）から構成され、前記駆動手段（５２）は歯車手段（６７）から構成され、前記縦長要素手段（６１）および前記追加的縦長要素手段（６４）は、前記ラック手段（６３）および前記追加的ラック手段（６６）が互いに面しかつ同時に前記歯車手段（６７）にかみ合うように配置される、請求項１２に記載の装置。
【請求項１５】
物体を受容するよう設計されるシート手段（５）が備わり、前記シート手段（５）は曲線軌道（Ｐ１）に沿って可動である運搬装置（１）、および前記物体を前記運搬装置（１）へ運搬かつ／また前記運搬装置（１）から除去するよう設計される移送手段（８）が備わる追加的運搬装置（６）から構成される装置において、前記装置はさらに、前記移送手段（８）と前記シート手段（５）を前記曲線軌道（Ｐ１）の部分（Ｚ）に沿って相互に連結し、および前記移送手段（８）と前記シート手段（５）が前記部分（Ｚ）に沿って連結して進行した後、前記移送手段（８）と前記シート手段（５）を解放できるよう形成される連結手段（２３２、４６０）から構成されることを特徴とする装置。
【請求項１６】
前記接続手段（４６０）は、第一アーム（３２４）および第二アーム（３２５）から構成される、請求項１５に記載の装置。
【請求項１７】
前記第一アーム（３２４）および第二アーム（３２５）は、シート手段（５）が把持手段を出入できる開放配置と、前記把持要素が前記シート手段（５）を固定する閉鎖配置の間で可動な前記把持要素を定め、前記第一アーム（３２４）および前記第二アーム（３２５）は、前記接続手段（４６０）の本体に咬合され、前記接続手段（４６０）は、前記第一アーム（３２４）と前記第二アーム（３２５）を相互に接続するよう設計される接続ロッド手段（３３３）から構成され、前記接続手段（４６０）は、第一アーム（３２４）の末端範囲と第二アーム（３２５）の末端範囲が互いに向かって相互に移動するよう設計される、スプリング手段から構成され、末端範囲は前記シート手段（５）と相互作用することを目的とする、請求項１６に記載の装置。
【請求項１８】
前記シート手段（５）は、前記接続手段（４６０）と相互作用することを目的とする回転手段（３２６）が外部に備わり、前記回転手段（３２６）は前記シート手段（５）の本体（３２７）上に回転可能に支持されるリングのように形成され、前記回転手段（３２６）と前記本体（３２７）の間には、前記回転手段を前記本体（３２７）に対して回転できるようにするローラー手段（３２９）が設置される、請求項１６または１７に記載の装置。
【請求項１９】
前記接続手段（２３２）は前記シート手段（５）を係合するよう設計される、連結手段（１６０、２６０、３６０）から構成され、前記連結手段（１６０、２６０、３６０）は、前記シート手段（５）の外表（３５）と相互作用するよう設計される、隙間手段（１６１、２６１、３６１）を定める、請求項１５に記載の装置。
【請求項２０】
前記接続手段（２３２）はさらに、前記接続手段（２３２）が前記移送手段（８）と前記シート手段（５）を相互に接続する施錠配置（Ｗ１、Ｗ３、Ｗ５）と、前記接続手段（２３２）が前記移送手段（８）と前記シート手段（５）を互いに独立して移動することを可能にする解除配置（Ｗ２、Ｗ４）の間で可動であり、前記維持手段（１６２、１６３、１８５、１８６、１９６）は前記連結手段（１６０、２６０、３６０）と連携し、前記維持手段（１６２、１６３、１８５、１８６、１９６）は、前記連結手段（１６０、２６０、３６０）によって回転可能に支持されるアーム手段（１６２、１６３）から構成され、前記アーム手段は、相互に連携する第一アーム（１６２）および第二アーム（１６３）から構成される、請求項１９に記載の装置。
【請求項２１】
前記移送手段は複数の移送要素（８）から構成され、前記物体はプラスチックの用量から構成され、前記運搬装置は前記用量を圧縮成形するための圧縮成形装置（１）から構成され、前記シート手段は前記圧縮成形装置（１）のモールド手段（３）の成形キャビティ手段（５）から構成され、前記圧縮成形装置（１）は、回転軸（Ａ）の周囲を回転可能でかつ前記モールド手段（３）を支持する回転台から構成され、前記圧縮成形装置は、前記モールド手段（３）を支持する弾性移動要素から構成され、前記弾性移動要素は閉ループの弾性移動要素であって、前記モールド手段は複数のモールド（３）から構成され、前記移送手段（８）は、押出手段からの前記用量を除去するよう設計される受容手段（２１）から構成され、前記受容手段（２１）は、前記用量から得られる製品を前記圧縮成形装置（１）から取り除くことができるよう形成される、請求項１５から２０のいずれか一つに記載の装置。
【請求項２２】
プラスチックの用量（８０）を圧縮成形装置（１）に運搬するよう設計される移送手段（８）から構成され、前記移送手段（８）は、押出手段からの前記用量（８０）を除去するよう設計される受容手段（２１）、および前記用量（８０）を前記受容手段（２１）から受容しかつ前記用量（８０）を前記圧縮成形装置（１）に運搬するよう設計される運搬手段（２２、２３）から構成される装置において、前記受容手段（２１）および前記運搬手段（２２、２３）は相互に固着されることを特徴とする装置。
【請求項２３】
前記受容手段（２１）は、前記用量（８０）から得られる物体を前記圧縮成形装置（１）から除去できるよう形成され、およびさらに、前記用量（８０）が前記運搬手段（２２、２３）に入るよう通過する入口開口手段（２７）を閉鎖するよう設計される閉鎖手段（４０）から構成され、前記閉鎖手段（４０）は、カバー手段（４１）が前記入口開口手段（２７）を閉鎖する閉鎖位置（Ｋ）と、前記カバー手段（４１）が前記入口開口手段（２７）から離れている開放位置の間で可動である前記カバー手段（４１）から構成される、請求項２２に記載の装置。
【請求項２４】
プラスチックの用量（８０）を圧縮成形装置（１）に運搬するよう設計される移送手段（８）から構成される装置において、前記装置はさらに、前記用量（８０）によって横断できる前記移送手段（８）の開口（２８）の開放かつ／また閉鎖のため、第二閉鎖手段（３０）と連携する第一閉鎖手段（２９）、および前記第一閉鎖手段（２９）と前記第二閉鎖手段（３０）を前記開口（２８）にほぼ平行に配置される面上に互いに平行になるよう維持して、前記第一閉鎖手段（２９）と前記第二閉鎖手段（３０）を移動するよう設計される駆動手段（５２）から構成されることを特徴とする装置。
【請求項２５】
プラスチックの用量（８０）を圧縮成形装置（１）に運搬するよう設計される移送手段（８）から構成され、前記運搬要素（８）は、押出手段からの前記用量（８０）を除去するよう設計される受容手段（２１）から構成される装置において、前記受容手段（２１）は前記用量（８０）から得られる物体を前記圧縮成形装置（１）から除去できるよう形成されることを特徴とする装置。
【請求項２６】
容器母材を得るためにプラスチックの用量（８０）を圧縮成形するよう設計されるモールド手段（３）が備わる圧縮成形装置（１）、および前記モールド手段（３）に前記用量（８０）を供給し、かつ前記母材を前記モールド手段（３）から除去するよう設計される移送手段（８）が備わる移動装置（６）から構成される装置。
【請求項２７】
プラスチックの用量（８０）を圧縮成形装置（１）に運搬するよう設計される移送手段（８）から構成され、前記移送手段（８）は前記用量（８０）を受容するよう設計される収容手段（２２）から構成される装置において、前記移送手段（８）は、前記収容手段（２２）に受容され、かつ前記用量（８０）を前記圧縮成形装置（１）に運搬するよう収容手段（２２）に対して可動である移動促進手段（８７）から構成されることを特徴とする装置。
【請求項２８】
プラスチックの用量（８０）を圧縮成形装置（１）に運搬するよう設計される移送手段（８）から構成され、前記移送手段（８）は、押出手段からの前記用量（８）を除去するよう設計される受容手段（３２１）、および前記受容手段（３２１）から前記用量（８０）を受容しかつ前記用量（８０）を前記圧縮成形装置（１）に運搬するよう設計される運搬手段（３０８）から構成される装置において、前記受容手段（３２１）は前記運搬手段（３０８）によって支持されかつ前記運搬手段（３０８）に対して可動であることを特徴とする装置。
【請求項２９】
プラスチックの用量（８０）を、前記プラスチックの用量（８０）を圧縮成形装置（１）に移送するのに適合する移送手段（８）に受容し、少なくとも部分的に前記用量（８０）を包囲する流体クッションを生成するための既定の圧力を有する流体の第一流を前記移送手段（８）に分配し、および前記移送手段（８）から前記用量（８０）を取り出すための追加的既定圧力を有する流体の第二流を前記移送手段（８）への追加的分配することから構成され、前記追加的既定の圧力は前記既定の圧力より大きくなる、方法。
【請求項３０】
容器母材（３００）を得るためプラスチックの用量（８０）を圧縮成形するよう設計されるモールド手段（３）が備わる圧縮成形装置（１）、および前記用量（８０）を前記モールド（３）に供給するよう設計される移送手段（８）および前記モールド手段（３）から前記母材（３００）を除去するよう設計される除去手段（３０３）が備わる移動装置（６）から構成される装置。